(57)【要約】【課題】中空コンクリートスラブの中空部への水の浸入を防止できるようにする。【解決手段】本発明に係る中空コンクリートスラブ１においては、中空部２の開口２ａを閉塞するように止水体３が配置されている。この止水体３は、止水機能を有する止水シート（ブチルシート）３０と、シート３０の周縁の隙間をシールするウレタンシール３１と、該シート３０を支持するスポンジ３２とからなる。止水シート３０は倒れないようにスポンジ３２により支持され、シート３０の周縁の隙間はウレタンシール３１によりシールされているので、中空部２への水の浸入を確実に防止することができる。【選択図】図２
2010255272.tif 000002
【特許請求の範囲】
【請求項１】
少なくとも１つの開口を有する中空部と、
該開口を閉塞するように前記中空部に配置される止水体と、
を備えたことを特徴とする中空コンクリートスラブ。
【請求項２】
前記止水体は、前記中空部に挿入配置される止水部材と、該止水部材と中空部壁面との隙間を閉塞するように配置される止水剤と、を有する、
ことを特徴とする請求項１に記載の中空コンクリートスラブ。
【請求項３】
前記止水部材は、止水機能を有する止水シートであり、
前記止水体は、該止水シートを支持するシート支持部を有し、
前記止水シートは、前記中空部を略閉塞するように前記シート支持部に貼着された状態で配置される、
ことを特徴とする請求項２に記載の中空コンクリートスラブ。
【請求項４】
前記止水シートはブチルシートであり、
前記シート支持部はスポンジであり、
前記止水剤はウレタンシールである、
ことを特徴とする請求項３に記載の中空コンクリートスラブ。
【請求項５】
前記止水部材はポリエチレンフォームである、
ことを特徴とする請求項２に記載の中空コンクリートスラブ。
【発明の詳細な説明】
【技術分野】
【０００１】
本発明は、中空部を有する中空コンクリートスラブに係り、詳しくは、該中空部への水の浸入を防止することのできる中空コンクリートスラブに関する。
【背景技術】
【０００２】
近年、軽量化や長大スパン化等を目的として、中空部を有する中空コンクリートスラブが多用されており（例えば、特許文献１参照）、昭和コンクリート工業株式会社製のホローコアスラブ（商品名）や、株式会社スパンクリートコーポレーション製のスパンクリート（登録商標）が販売されている。
【０００３】
このような中空コンクリートスラブは、工場にて製造され建築現場まで運ばれて所定の工程により組み立てられるが、その間に雨水が中空部に浸入してしまうおそれがあり、そのような事態は種々の点で好ましく無い。
【０００４】
このような水の浸入に対する対策としては次のようなものがあった。
・  製造時点で中空部に水抜き穴を多数穿設しておいて、水が流れ出るようにする方法
・  コンクリート構造物専用の水探査装置（例えば、日本無線株式会社製の“ハンディサーチ（商品名）”）を使って水の残留の有無を探査し、残留水を確認できた場合には水抜き穴を開けて残留水を除去する方法
【先行技術文献】
【特許文献】
【０００５】
【特許文献１】特開平９−１６５８６４号公報
【発明の概要】
【発明が解決しようとする課題】
【０００６】
しかしながら、前者の方法（つまり、水抜き穴を多数穿設しておく方法）では  水抜き穴を多く穿設しなければならないので  その作業が大変であり、後者の方法（つまり、水探査を行う方法）では  水探査の作業が大変であるという問題があった。また、いずれの方法を用いたとしても、中空部への水の浸入が発生した後の対応策となっており、中空部内の全ての残留水を除去できるという保証は無く、さらに、全ての残留水が除去できているか否かを確認することも容易ではないという問題があった。
【０００７】
本発明は、上述の問題を水が浸入する前に解消できる中空コンクリートスラブを提供することを目的とするものである。
【課題を解決するための手段】
【０００８】
請求項１に係る発明は、図１及び図２に例示するものであって、少なくとも１つの開口（２ａ）を有する中空部（２）と、
該開口（２ａ）を閉塞するように前記中空部（２）に配置される止水体（３）と、を備えたことを特徴とする中空コンクリートスラブ（１）についてのものである。
【０００９】
請求項２に係る発明は、請求項１に係る発明において、図２(b) に詳示するように、前記止水体（３）は、前記中空部（２）に挿入配置される止水部材（３０）と、該止水部材（３０）と中空部壁面（２ｂ）との隙間を閉塞するように配置される止水剤（３１）と、を有することを特徴とする。
【００１０】
請求項３に係る発明は、請求項２に係る発明において、前記止水部材（３０）は、止水機能を有する止水シートであり、
前記止水体（３）は、該止水シートを支持するシート支持部（３２）を有し、
前記止水シートは、前記中空部（２）を略閉塞するように前記シート支持部（３２）に貼着された状態で配置されることを特徴とする。
【００１１】
請求項４に係る発明は、請求項３に係る発明において、前記止水シートはブチルシートであり、
前記シート支持部（３２）はスポンジであり、
前記止水剤（３１）はウレタンシールであることを特徴とする。
【００１２】
請求項５に係る発明は、請求項２に係る発明において、前記止水部材（３０）はポリエチレンフォームであることを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１，２，３及び５に係る発明によれば、開口から中空部内部への水の浸入を前記止水体によって防止又は抑制できる。
【００１５】
請求項４に係る発明によれば、
・  止水部材によって、開口からの水の浸入を防止でき、
・  止水剤によって、止水部材と中空部壁面との隙間からの水の浸入を防止でき、
・  シート支持部によって、止水部材の支持、並びに止水体を中空部に挿入する際の位置決めの容易化を図ることができる、
という効果を奏する。
【図面の簡単な説明】
【００１６】
【図１】図１(a) は、本発明に係る中空コンクリートスラブの構造の一例を示す正面図であり、図１(b)は、そのＡ−Ａ断面図であり、図１(c) は、本発明に係る中空コンクリートスラブの構造の他の例を示す断面図である。
【図２】図２(a) は、図１(a)の部分拡大図であり、図２(b) は、そのＢ−Ｂ断面図である。
【発明を実施するための形態】
【００１７】
以下、図１及び図２に沿って、本発明の実施の形態について説明する。
【００１８】
本発明に係る中空コンクリートスラブは、図１(a) (b) に符号１で例示するものであって、
・  少なくとも１つの開口２ａを有する中空部２と、
・  該開口２ａを閉塞するように前記中空部２に配置される止水体３と、
を備えていて、該開口２ａから中空部内部への水の浸入を前記止水体３によって防止又は抑制できるようになっている。なお、１つの中空部２に開口２ａが複数形成されている場合には、全ての開口２ａにつき止水体３を配置すると良い。例えば、図１(b) に示すように、中空部２の両端に開口２ａがそれぞれ形成されている場合にはそれぞれに止水体３を配置すると良い。また、図１(b) にて止水体３が配置されている開口２ａは  スラブ端面に形成されたものであるが、もちろんこれに限られるものではなく、端面以外に形成された開口に止水体３を配置するようにしても良い。例えば、図１(c) に示すように、中空部２が穿設されている位置に符号１２で示すような縦穴（例えば、配管等のための縦穴）を穿設すると、縦穴１２と中空部２とが連通して中空部２には符号２ｃで示すような開口が形成されることもあるが、そのような開口２ｃにも上述のような止水体３を配置すると良い。つまり、水が浸入するおそれのある開口の全てに止水体を配置して、中空部２への水の浸入を防止するようにすると良い。さらに、この止水体の形状は、開口からの水の浸入を防止できるような形状であれば良く、
・  開口の形状や、
・  中空部の断面形状
等に応じて適宜調整すると良い。例えば、中空部の断面形状が円の場合には止水体の形状も円にすると良く、中空部の断面形状が四角の場合には止水体の形状も四角にすると良い。
【００１９】
ところで、上述の止水体３は、図２(a) (b) に詳示するように、
・  止水機能を有する止水部材３０と、
・  該止水部材３０と中空部壁面２ｂとの隙間を閉塞するように配置される止水剤３１と、
により構成されていて、前記止水部材３０を中空部２に挿入配置した後に、該止水部材３０と中空部壁面２ｂとの隙間を止水剤３１により閉塞するようにして取り付けられるようになっている。この止水部材３０としては、止水機能を有する止水シートを挙げることができ、具体的にはブチルシートを挙げることができる。なお、止水部材として止水シートを用いる場合は、前記中空部２を略閉塞する状態に該止水シート３０を支持しておく必要があるが、そのためには、
・  前記中空部２を略閉塞する状態に、肉厚で（つまり、中空部２の長手方向の寸法であって、符号Ｃに示す寸法が厚くて）自立式の部材（以下、“シート支持部”とする）を配置し、
・  該シート支持部３２に前記止水シート３０を貼着することにより該シート３０を支持する、
ようにすると良い。このようなシート支持部３２には  中空部２よりも多少大きい寸法の  収縮性のある部材を用い、該シート支持部３２が中空部壁面２ｂに付勢されて、シート支持部３２を開口側から押した場合に（矢印Ｐ１参照）  ある程度の抗力（矢印Ｐ２参照）が発生して、止水剤３１を塗布する等の際に該シート支持部３２が簡単には奥に移動してしまわないようにすると良い。そのような材料としては、スポンジやコルクや発泡スチロール等を挙げることができる。上述の止水シート３０は、止水機能さえあれば薄くても良く、例えば、１ｍｍ程度の厚さであっても良い。一方のシート支持部３２は数十ｍｍ程度、好ましくは５０ｍｍの厚さであれば良い。ところで、上述の止水剤３１としてはウレタンシールを挙げることができる。なお、このような止水体３の設置は、
・  シート支持部３２に止水シート３０を貼着したものを、若干縮ませた状態で中空部２に挿入して、所定の位置にセットし、
・  該止水シート３０と中空部壁面２ｂとの隙間にウレタンシールを注入する、
ことにより行うと良い。
【００２０】
図２(a)
(b) に詳示するような構造の止水体３を使用した場合には、
・  止水部材３０によって、開口２ａからの水の浸入を防止でき、
・  止水剤３１によって、止水部材３０と中空部壁面２ｂとの隙間からの水の浸入を防止でき、
・  シート支持部３２によって、止水部材３０の支持、並びに止水体３を中空部２に挿入する際の位置決めの容易化（つまり、止水体３が簡単には奥に移動してしまわないということ）を図ることができる、
という効果を奏する。
【００２１】
ところで、図２(a)
(b) に詳示した止水体３は、止水部材３０とシート支持部３２とで構成したが、もちろんこれに限られるものではなく、
・  止水機能
・  “前記中空穴２を閉塞する状態”に自立する機能
の両方の機能を有するものであれば、１つの部材で構成しても良い。そのような材料としては、ポリエチレンフォームを挙げることができる。このポリエチレンフォームを用いる場合は、その周囲（つまり、ポリエチレンフォームと中空部壁面２ｂとの隙間）を止水剤でシールすると良い。
【符号の説明】
【００２２】
１        中空コンクリートスラブ
２        中空部
２ａ      開口
２ｂ      中空部壁面
３        止水体
３０      止水部材
３１      止水剤
３２      シート支持部
【図１】
2010255272.tif 000003
【図２】
2010255272.tif 000004